(57)【要約】【課題】  現用系で障害が発生して予備系に切り替わった場合に、現用系の通話状態を予備系に引き継いで通話継続を可能とする電話システムを提供する。【解決手段】  現用系ＭＣＰ２０の通信制御装置２１で通話状態テーブル、ＰＳ状態テーブル、ＣＦＴ接続状態テーブルを生成し、これらテーブルの情報を現用系ＭＣＰ２０から予備系ＭＣＰ３０に送信しておき、予備系ＭＣＰ３０の通信制御装置３１は、これらテーブルの情報を基に、予備系ＭＣＰ３０に切り替わった際に、個別通話状態、会議通話状態を再構築する電話システムである。【選択図】        図１
2011041117.tif 000002
【特許請求の範囲】
【請求項１】
現用系制御装置と予備系制御装置を備える電話システムであって、
前記現用系制御装置は、個別通話状態を記憶する通話状態テーブル、及び、当該システムに接続する子機の状態を記憶する子機状態テーブルを生成し、前記予備系制御装置に送信し、
前記予備系制御装置は、前記現用系制御装置から切り替わった場合に、受信した前記通話状態テーブル、及び、前記子機状態テーブルの情報に基づいて前記現用系制御装置の通話状態を構築することを特徴とする電話システム。
【発明の詳細な説明】
【技術分野】
【０００１】
本発明は、現用系と予備系を備える二重化した電話システムに係り、特に、障害発生等により現用系から予備系に切り替えられても現用系の通話状態を引き継ぐことができる電話システムに関する。
【背景技術】
【０００２】
［従来の技術］
従来の現用系と予備系を備える二重化した電話システムでは、現用系に障害が発生した場合に、その障害を検出した予備系が現用系の監視状態（イニシャル完了状態）から、通話状態を引き継ぐことなく、運用状態に移行していたものである。
【０００３】
［関連技術］
尚、関連する先行技術として、特開２００２−２６１９２９号公報「構内無線通信システム」（出願人：株式会社日立国際電気）［特許文献１］がある。
特許文献１には、構内無線通信システムにおいて、現用系システムから予備系システムに切り替えを行う場合、切り替え前に、現用系システムから予備系システムに携帯端末の位置情報を転送し、その位置情報を参照して位置登録をしていない携帯端末を使用可能にすることが示されている。
【先行技術文献】
【特許文献】
【０００４】
【特許文献１】特開２００２−２６１９２９号公報
【発明の概要】
【発明が解決しようとする課題】
【０００５】
しかしながら、従来の電話システムでは、現用系から予備系に通話状態を引き継ぐことなく運用状態に移行していたので、通話状態にあった電話機は突然通話が切れてしまい、通話者はシステム運用状態になってから再度電話を掛け直さなければならず、工場の作業指示や緊急時には大事な用件が伝わらないという問題点があった。
【０００６】
本発明は上記実情に鑑みて為されたもので、現用系で障害が発生して予備系に切り替わった場合に、現用系の通話状態を予備系に引き継いで通話継続を可能とする電話システムを提供することを目的とする。
【課題を解決するための手段】
【０００７】
上記従来例の問題点を解決するための本発明は、現用系制御装置と予備系制御装置を備える電話システムであって、現用系制御装置は、個別通話状態を記憶する通話状態テーブル、及び、当該システムに接続する子機の状態を記憶する子機状態テーブルを生成し、予備系制御装置に送信し、予備系制御装置は、現用系制御装置から切り替わった場合に、受信した通話状態テーブル、及び、子機状態テーブルの情報に基づいて現用系制御装置の通話状態を構築することを特徴とする。
【０００８】
本発明は、上記電話システムにおいて、現用系制御装置は、グループ通話の会議トランク使用状態を記憶する会議トランク接続状態テーブルを生成し、予備系制御装置に送信し、予備系制御装置は、現用系制御装置から切り替わった場合に、受信した通話状態テーブル、子機状態テーブル、及び、会議トランク接続状態テーブルの情報に基づいて現用系制御装置の通話状態を構築することを特徴とする。
【発明の効果】
【０００９】
本発明によれば、現用系制御装置は、個別通話状態を記憶する通話状態テーブル、及び、当該システムに接続する子機の状態を記憶する子機状態テーブルを生成し、予備系制御装置に送信し、予備系制御装置は、現用系制御装置から切り替わった場合に、受信した通話状態テーブル、及び、子機状態テーブルの情報に基づいて現用系制御装置の通話状態を構築する電話システムとしているので、現用系の通話状態を予備系に引き継いで通話を継続させることができる効果がある。
【００１０】
また、本発明によれば、現用系制御装置は、グループ通話の会議トランク使用状態を記憶する会議トランク接続状態テーブルを生成し、予備系制御装置に送信し、予備系制御装置は、現用系制御装置から切り替わった場合に、受信した通話状態テーブル、子機状態テーブル、及び、会議トランク接続状態テーブルの情報に基づいて現用系制御装置の通話状態を構築する上記電話システムとしているので、現用系の通話状態を予備系に引き継いでグループ通話を継続させることができる効果がある。
【図面の簡単な説明】
【００１１】
【図１】本発明の実施の形態に係る電話システムの構成ブロック図である。
【図２】通話状態テーブルの概略図である。
【図３】ＰＳ状態テーブルの概略図である。
【図４】ＣＦＴ接続状態テーブルの概略図である。
【図５】通話状態送信シーケンスの説明図である。
【図６】定期的及び系切替時の通話状態引継ぎシーケンスの説明図である。
【図７】通話状態テーブルの概略図である。
【図８】回線メモリの概略図である。
【図９】ＰＳ状態テーブルの概略図でである。
【図１０】ＰＳ回線メモリの概略図でである。
【図１１】トランクの概略図である。
【図１２】ＣＦＴ接続状態テーブル、グループ通話中テーブル、多者通話モード設定テーブルの概略図でである。
【図１３】回線メモリの概略図でである。
【図１４】接続トランクの概略図でである。
【図１５】ＣＦＴメモリ、ＣＦＴ管理テーブルの概略図でである。
【図１６】ＰＳ回線メモリの概略図である。
【発明を実施するための最良の形態】
【００１２】
本発明の実施の形態について図面を参照しながら説明する。
［実施の形態の概要］
本発明の実施の形態に係る電話システムは、通話状態を速やかに引き継ぐために、現用系は、通話継続用の必要最小限の通話状態引継ぎ情報（音声路［タイムスイッチ（ＴＳＷ）の接続状態情報］）テーブルを予め作成しておき、通話状態に合わせて更新し、障害発生等で系切り替えを行う場合、予備系は、通話状態引継ぎ情報を引き継ぎ、通話状態引継ぎ情報を元に通話状態を構築（音声路の接続、通話用テーブルの更新）し、通話の継続を行う。
【００１３】
また、本発明の実施の形態に係る電話システムは、現用系で電源断等の通話を引き継げない障害が発生した場合でも、通話継続を可能とするために、通話状態継続ぎ情報を定期的に現用系から予備系に引き継いで（送信して）おき、系切り替えが発生した場合に、予備系で既に受信している通話状態継続ぎ情報を元に通話状態を再構築し、通話継続を行う。
【００１４】
［電話システム：図１］
本発明の実施の形態に係る電話システムについて図１を参照しながら説明する。図１は、本発明の実施の形態に係る電話システムの構成ブロック図である。
本発明の実施の形態に係る電話システム（本システム）は、図１に示すように、通信制御装置１と、基地局（ＢＳ）２と、移動局となる携帯端末（ＰＳ又はＰＨＳ）３と、有線ページング装置４と、内線電話５と、ショートメッセージサーバ６と、他の電話システムの通信制御装置７と、ＰＢＸ（私設構内交換機）８と、他の電話システムの通信制御装置９ａと、他の電話システムの通信制御装置９ｂと、管理コンソール１１と、設備アラーム検出装置１２と、ＰＨＳ位置モニタ装置１３とを基本的に有している。
【００１５】
［本システムの各部］
本システムの各部について具体的に説明する。
通信制御装置１は、本システムにおける中心的処理を実行する装置である。
通信制御装置１は、現用系制御装置（ＭＣＰ［Main Control Processor］（０系））２０と、予備系制御装置（ＭＣＰ（１系））３０と、インタフェース部（インタフェースＰＫＧ）４０とを備えている。ＭＣＰ２０，３０及びインタフェース部４０の具体的内部構成については後述する。
尚、ＭＣＰ（０系）２０を現用系制御装置とし、ＭＣＰ（１系）３０を予備系制御装置としているが、ＭＣＰ（１系）３０を現用系制御装置とし、ＭＣＰ（０系）２０を予備系制御装置としてもよい。
また、ＭＣＰ２０，３０及びインタフェース部４０は、共通電源が供給されるようになっている。
尚、以下、ＭＣＰ２０のことを単に現用系ＭＣＰともいい、ＭＣＰ３０のことを単に予備系ＭＣＰともいう。
【００１６】
基地局（ＢＳ：Base Station）２は、携帯端末３との無線制御を行う装置である。
携帯端末（ＰＳ［Personal Station］又はＰＨＳ）３は、基地局２の子機となる携帯電話機である。
有線ページング装置４は、通信制御装置１に有線で接続され、ページング（呼び出し）を行う装置である。
【００１７】
内線電話５は、通信制御装置１に有線で接続された内線用の電話機である。
ショートメッセージサーバ６は、通信制御装置１に構内ＬＡＮ（Local Area Network）で接続され、ショートメッセージの送受信を行うサーバである。
他の通信制御装置７は、本システムの通信制御装置１と同等の制御装置であり、２ワイヤ（２Ｗ）電話線で通信制御装置１と接続している。
【００１８】
ＰＢＸ（Private Branch eXchange：私設構内交換機）８は、通信制御装置１に２３Ｂ＋Ｄのインタフェースで接続する交換機である。
他の通信制御装置９ａは、通信制御装置１と同等の制御装置であり、２３Ｂ＋Ｄのインタフェースで通信制御装置１と接続している。
他の通信制御装置９ｂは、通信制御装置１の旧バージョンシステムである制御装置であり、２３Ｂ＋Ｄのインタフェースで通信制御装置１と接続している。
【００１９】
管理コンソール１１は、構内ＬＡＮで通信制御装置１の現用系制御装置２０及び予備系制御装置３０に接続して現用系制御装置２０及び予備系制御装置３０を制御し、ＲＣ２３２Ｃの接続ケーブルで現用系制御装置２０に接続している。
設備アラーム検出装置１２は、構内ＬＡＮで通信制御装置１の現用系制御装置２０及び予備系制御装置３０に接続し、設備アラームを検出して、現用系制御装置２０及び予備系制御装置３０に設備アラーム信号を送信する。
ＰＨＳ位置モニタ装置（ＰＳＭ：Positioning and Status Monitor）１３は、専用ＬＡＮで通信制御装置１の現用系制御装置２０及び予備系制御装置３０に接続し、子機（ＰＨＳ）の位置情報と状態をモニタする装置である。
【００２０】
［現用系制御装置２０］
現用系制御装置（ＭＣＰ（０系））２０は、通信制御装置（ＣＣＰ［Communication Control Processor］  ＣＰＵ［Central Processing Unit］）２１と、主制御装置（ＭＣＰ［Main Control Processor］  ＣＰＵ）２２と、タイムスイッチ（ＴＳＷ［Time Switch］）２３と、音声合成処理部（ＣＦＴ［Conference Trunk］／ＰＢ／ＴＧＲ）２４と、クロック部（ＣＬＫ［Clock］）２５とを備えている。
【００２１】
ここで、通信制御装置２１と主制御装置２２は、内部ＬＡＮで接続され、その内部ＬＡＮは、予備系制御装置３０の内部ＬＡＮにも接続されている。
また、タイムスイッチ２３と音声合成処理部２４は、ローカルバス（Local Bus）を介して主制御装置２２に接続されている。
更に、通信制御装置２１は、インタフェース部４０に接続され、タイムスイッチ２３も、ＰＣＭ  ＨＷＹ［Highway］（２Ｍ×１６）でインタフェース部４０に接続されている。
クロック部２５は、インタフェース部４０に接続され、予備系制御装置３０のクロック部３５にも接続されている。
【００２２】
通信制御装置２１は、予備系制御装置となる副装置（ＳＣＳ：Sub Control Station）への入出力制御を行う装置である。
主制御装置２２は、現用系制御装置２０全体の制御を行い、通話路交換接続制御を行う。
タイムスイッチ２３は、ＰＣＭ  ＨＷＹのハイウェアを制御するタイムスイッチである。
音声合成処理部２４は、会議通話用の音声を合成する処理部である。
【００２３】
本システムの特徴部分としては、現用系ＭＣＰから予備系ＭＣＰに通話状態を引継ぐために、現用系ＭＣＰの通信制御装置２１で後述する通話状態テーブル、ＰＳ状態テーブル、ＣＦＴ接続状態テーブルを生成して内部の記憶部に記憶すると共に、通話状況に応じて更新し、予備系ＭＣＰに切り替わっても、通話が継続できるよう、これらテーブルの情報を現用系ＭＣＰから予備系ＭＣＰに送信しておくものである。
【００２４】
［予備用系制御装置３０］
予備系制御装置（ＭＣＰ（１系））３０は、通信制御装置（ＣＣＰ  ＣＰＵ）３１と、主制御装置（ＭＣＰ  ＣＰＵ）３２と、タイムスイッチ（ＴＳＷ）３３と、音声合成処理部（ＣＦＴ／ＰＢ／ＴＧＲ）３４と、クロック部（ＣＬＫ）３５とを備えている。
【００２５】
ここで、通信制御装置３１と主制御装置３２は、内部ＬＡＮで接続され、その内部ＬＡＮは、現用系制御装置２０の内部ＬＡＮにも接続されている。
また、タイムスイッチ３３と音声合成処理部３４は、ローカルバス（Local Bus）を介して主制御装置３２に接続されている。
更に、通信制御装置３１は、インタフェース部４０に接続され、タイムスイッチ３３も、ＰＣＭ  ＨＷＹ（２Ｍ×１６）でインタフェース部４０に接続されている。
クロック部３５は、現用系制御装置２０のクロック部２５にも接続されている。
【００２６】
予備系制御装置３０の各部における処理動作は、現用系制御装置２０の各部における処理動作と基本的には同様である。
また、本システムの予備系ＭＣＰとして特徴部分は、現用系ＭＣＰから送信された通話状態テーブル、ＰＳ状態テーブル、ＣＦＴ接続状態テーブルの情報を基に、予備系ＭＣＰに切り替わった際に、個別通話状態、会議通話状態を再構築するものである。
【００２７】
［インタフェース部４０］
インタフェース部４０は、基地局インタフェース部（ＢＳＩＦ：Base Station Interface）４１と、ページング制御装置（ＰＣＵ：Paging Control Unit）４２と、中央翻訳装置（ＣＯＴ：Central Office Translator）４３と、デジタルインタフェース部（ＤＩＦ：Digital Interface）４４と、Ｉインタフェース部（ＩＩＦ：I Interface Package）４５と、（２ＭＴＴＣ：TTC 2Mbps package）４６と、ローミングインタフェース部（ＲＩＰ：Roaming Interface Package）４７とを備えている。
【００２８】
また、インタフェース部４０内の各部は、ＰＣＭ  ＨＷＹ（２Ｍｂｐｓ）で接続され、更に、そのＰＣＭ  ＨＷＹは、ＭＣＰ（０系）２０のＴＳＷ２３及びＭＣＰ（１系）３０のＴＳＷ３３とＰＣＭ  ＨＷＹ（２Ｍ×１６）で接続され、データの送受信が為される。
【００２９】
また、インタフェース部４０内の各部は、制御信号線（１Ｍｂｐｓ）で接続され、更に、その制御信号線は、ＭＣＰ（０系）２０の通信制御装置２１及びＭＣＰ（１系）３０の通信制御装置３１に信号線で接続され、制御信号の送受信が為される。
【００３０】
基地局インタフェース部（ＢＳＩＦ）４１は、基地局２とＭＣＰ（０系）２０の通信制御装置２１及びＭＣＰ（１系）３０の通信制御装置３１との接続インタフェースを行う。
ページング制御装置（ＰＣＵ）４２は、有線ページング装置４との有線ページングの接続インタフェースを行う。
中央翻訳装置（ＣＯＴ）４３は、内線電話５に接続するためのアナログ専用線のＰＢＸインタフェース部である。
【００３１】
デジタルインタフェース部（ＤＩＦ）４４は、ショートメッセージサーバ６に接続するためのデジタルデータのインタフェース部である。
Ｉインタフェース部（ＩＩＦ）４５は、ＰＢＸ８に接続するための１．５Ｍｂｐｓ、ＩＳＤＮ専用線のインタフェース部である。
２Ｍｂｐｓ専用インタフェース部（２ＭＴＴＣ）４６は、２Ｍｂｐｓ専用線のインタフェース部である。
ローミングインタフェース部（ＲＩＰ）４７は、他の通信制御装置（他のＤＲＸ２０００）に接続するための１．５Ｍ専用線のインタフェース部である。
【００３２】
［各種テーブル］
次に、本システムにおいて、通信制御装置２１内の記憶部に記憶される各種テーブルについて説明する。尚、後述する各種テーブル（通話状態テーブル、ＰＳ状態テーブル、ＣＦＩ接続状態テーブル）は、主制御装置２２内の記憶部やＭＣＰ２０内の他の記憶部に記憶されていてもよい。また、ＭＣＰ３０においても、各種テーブルが通信制御装置３１の記憶部や主制御装置３２の記憶部やＭＣＰ３０内の他の記憶部に記憶されてもよい。
【００３３】
通信制御装置２１内の記憶部に記憶される各種テーブルには、通話情報テーブル、ＰＳ（子機：Personal Station）状態テーブル、ＣＦＴ（会議トランク：Conference Trunk）接続状態テーブルがある。これらのテーブルは、現用系ＭＣＰから予備系ＭＣＰに通話状態引継ぎ情報として送信される。
【００３４】
［通話状態テーブル：図２］
通話状態テーブルについて図２を参照しながら説明する。図２は、通話状態テーブルの概略図である。
現用系ＭＣＰの通信制御装置２１は、個別通話の通信状態を保持するために、回線アドレスに対応付ける通話状態テーブルを新たに作成し、通話におけるＴＳＷの制御の際に、当該テーブルを更新する。
通話状態テーブルは、通話状態情報を記憶するもので、定期的及び現用／予備系切替時に現用系ＭＣＰから予備系ＭＣＰに送信される。
尚、通話ログ取得時、発信者・受信者の種別が必要なため、これら情報も引き継ぐようにする。予備系ＭＣＰの通信制御装置３１は、受信した情報から通話状態を継続するため、全てのテーブルの更新・構築を行う。
【００３５】
通話状態テーブルは、図２に示すように、通信者１のＨ／Ｗ（ハードウェア）のＴＳＷ（タイムスイッチ）のリニアアドレス（発信者）に対応して通信者２のＨ／ＷのＴＳＷのリニアアドレス（着信者）を記憶するものである。ここで、「０ｘＦＦＦＦ」は未通話を示している。
発信者のリニアアドレスは、例えば、１〜８１９２の順に設定され、当該アドレスに対応して着信者のリニアアドレスが設定されるようになっている。
【００３６】
［ＰＳ状態テーブル：図３］
ＰＳ状態テーブルについて図３を参照しながら説明する。図３は、ＰＳ状態テーブルの概略図である。
現用系ＭＣＰの通信制御装置２１は、図３に示すＰＳ状態テーブルを新たに作成し、ＰＳの通話開始／終了時に更新を行い、定期的及び現用／予備系切替時に現用系ＭＣＰから予備系ＭＣＰに送信する。予備系ＭＣＰの通信制御装置３１は、受信した情報から通話状態を継続するため、テーブルの更新・構築を行う。
【００３７】
ＰＳ状態テーブルは、図３に示すように、例えば、１台目〜６１４４台目のＰＳについて、１台毎に、項目として、「ＰＳ番号」「ＢＳ回線アドレス」「チャネル番号」「呼番」が設定され、更に各項目の内容が設定され、当該内容のバイト数が設定されている。
【００３８】
「ＰＳ番号」は、位置登録済みＰＳのＰＳ番号であり、「ＢＳ回線アドレス」は、ＰＳが接続しているＢＳ回線アドレスであり、「チャネル番号」は、ＰＳが接続しているＢＳ回線アドレスの中のチャネル番号であり、「呼番」は、ＰＳが通話している呼の番号である。
【００３９】
［ＣＦＴ接続状態テーブル：図４］
ＣＦＴ接続状態テーブルについて図４を参照しながら説明する。図４は、ＣＦＴ接続状態テーブルの概略図である。
現用系ＭＣＰの通信制御装置２１は、開催型グループ通話、及び参加型グループ通話の会議トランクの使用状態を保持するために、新たにＣＦＴ接続状態テーブルを作成し、ＣＦＴ接続・切り離しの際に、当該テーブルを更新する。
【００４０】
ＣＦＴ接続状態テーブルは、会議通話中状態を表す情報を記憶するもので、定期的及び現用／予備系切替時に現用系ＭＣＰから予備系ＭＣＰに送信する。
尚、ＣＦＴ接続状態テーブルのＣＦＴ接続有／無フラグがオン（１＝有）のものを送信する。また、予備系ＭＣＰは、発信者・着信者の判断を図２の通話状態テーブルにより行うため、ＣＦＴ接続状態テーブルでは発信者・着信者の情報は記憶していない。
予備系ＭＣＰの通信制御装置３１は、受信した情報から会議通話状態を継続するため、全てのテーブルの更新・構築を行う。
【００４１】
ＣＦＴ接続状態テーブルは、図４に示すように、回線番号（回線Ｎｏ．）［ＨＷＹのインデックス］毎に、設定項目、設定内容、値の範囲、サイズが記憶されている。
回線Ｎｏ．は、例えば、００００（０）〜１ＦＦＦ（８１９１）が設定され、それらの回線Ｎｏ．毎に、項目として、「ＣＦＴ接続有／無」「会議トランクＮｏ．」「会議トランク接続ｃｈ」「会議ＮＯ」「多数通話モード設定オフセット」「参加型グループ通話中有／無」「参加型グループ通話管理テーブルのオフセット」「一斉通報通話中有／無」「一斉通報グループ番号」が設定されている。
【００４２】
項目の内容は、「ＣＦＴ接続有／無」は、ＣＦＴに接続しているか否かを示すフラグ（１＝有）であり、「会議トランクＮｏ．」は、接続した会議トランクの番号であり、「会議トランク接続ｃｈ」は、接続した会議トランクのチャネル番号であり、「会議ＮＯ」は、接続した会議トランクの中の会議の番号であり、「多者通話モード設定オフセット」は、多者通話モード設定テーブルのオフセット値であり、「参加型グループ通話中有／無」は、参加型グループ通話を行っているか否かの情報（通話中＝１）であり、「参加型グループ通話管理テーブルのオフセット」は、通話中の参加型グループ通話管理テーブル（meet_me_tb[256]）のオフセット値であり、「一斉通報通話中有／無」は、一斉通報通話を行っているか否かを示す情報（通話有＝１）であり、「一斉通報グループ番号」は、通話中の一斉通報グループ番号（全て（ALL）一斉通報の場合は「0xFF」となる）を示している。
【００４３】
［通話状態引継ぎ方法］
通話状態引継ぎ方法について説明する。
現用系ＭＣＰは、通話状態引継ぎ情報を予備系ＭＣＰに送信する。
現用系ＭＣＰは、素早く送信を行うために、通話状態データ送信をバースト送信で行い、１電文毎の応答監視は行わず、再送要求電文及び全データ受信完了通知電文の受信監視を行う方式とする。
尚、送信するデータは可能な限り、状態変化のあったものを送信する方式とする。
【００４４】
［通話状態送信シーケンス：図５］
通話状態送信シーケンスについて図５を参照しながら説明する。図５は、通話状態送信シーケンスの説明図である。
図５に示すように、現用系ＭＣＰ２０の通信制御装置２１は、送信する電文の総数をセットして予備系ＭＣＰ３０に送信する。現用系ＭＣＰは、送信に際して、通話状態送信開始電文を予備系ＭＣＰに送信する（１）。
【００４５】
続いて、現用系ＭＣＰは、予備系ＭＣＰに通話状態データを連続送信する（２）（３）。連続送信される通話状態データを受信側が取りこぼさないように、ディレイ（遅延）を設けて送信する。
予備系ＭＣＰは、受信した通話状態データのシーケンス番号をチェックし、番号抜けがあると、当該シーケンス番号をセットした再送要求電文を現用系ＭＣＰに送信する（４）。
【００４６】
現用系ＭＣＰは、通話状態データを全て送りきる（５）と、再送要求電文に対応した通話状態データを再送電文として送信する（６）。
予備系ＭＣＰは、最後まで全ての通話状態データを受信したら、完了通知を現用系ＭＣＰに送信する（７）。そして、予備系ＭＣＰは、最後まで全ての通話状態データを受信したら、通話状態構築を行う。
【００４７】
予備系ＭＣＰは、一定時間経過しても再送要求に係る通話状態データを受信できなかった場合、受信できた電文のデータだけで通話構築処理を行う。
また、現用系ＭＣＰは、一定時間待っても予備系ＭＣＰから全データ受信完了通知電文を受信しない場合、処理を終了する。
【００４８】
［定期的及び系切替時の通話状態引継ぎシーケンス：図６］
次に、定期的及び系切替時の通話状態引継ぎシーケンスについて図６を参照しながら説明する。図６は、定期的及び系切替時の通話状態引継ぎシーケンスの説明図である。
通話状態引継ぎには、定期的に行う引継ぎと、系切替時に行う引継ぎがある。
予備系ＭＣＰは、現用系ＭＣＰの運用状態を常に監視し、現用系ＭＣＰが引き続き不可能な障害（電源断など）になったことを検出した場合、系切替時の引継ぎを行わず、定期的に受信していた引継ぎ情報を基にすぐに通話状態の構築を行い、通話の継続を行う。
【００４９】
［定期的引継ぎ］
まず、定期的な引継ぎについて説明すると、図６に示すように、現用系ＭＣＰの通信制御装置２１は、予備系ＭＣＰに通話状態送信開始電文を送信する（１１）。続いて、現用系ＭＣＰは、定期的に引継ぎ情報を予備系ＭＣＰに送信し（１２）（１３）、予備系ＭＣＰは、全データを受信すると、全データ受信完了通知電文を現用系ＭＣＰに送信する（１４）。
【００５０】
予備系ＭＣＰでは、定期的引継ぎの場合は、ＴＳＷ、ＣＦＴ、ローミング関連のテーブルの更新を行い、ＴＳＷの接続を行う。
現用系ＭＣＰは、工注設定された間隔で、通話状態送信開始電文送信（１５）、引継ぎ情報の送信（１６）（１７）を行い、予備系ＭＣＰは、全データ受信完了通知電文を現用系ＭＣＰに送信する（１８）。
【００５１】
［系切替時の引継ぎ］
現用系ＭＣＰの通信制御装置２１は、切替要因発生を検出すると、通話状態送信開始電文送信（２１）、引継ぎ情報の送信（２２）（２３）を行い、予備系ＭＣＰは、全データ受信完了通知電文を現用系ＭＣＰに送信する（２４）。
【００５２】
系切替時の引継ぎの場合、予備系ＭＣＰの通信制御装置３１は、ＴＳＷ、ＣＦＴ、ローミング関連のテーブルの更新を行い、ＴＳＷの接続を行い、ＨＷＹの接続を行い、回線持ち切りの開放を行う。
【００５３】
［通話状態再構築方法］
次に、予備系ＭＣＰの通信制御装置で行う通話状態再構築方法について個別通話の場合と開催型グループ通話の場合について説明する。
【００５４】
［個別通話の場合の通話状態再構築：図７〜１１］
個別通話の場合における通話状態再構築の手順について図７〜図１１を参照しながら説明する。図７は、通話状態テーブルの概略図であり、図８は、回線メモリの概略図であり、図９は、ＰＳ状態テーブルの概略図であり、図１０は、ＰＳ回線メモリの概略図であり、図１１は、トランクの概略図である。
尚、図中に示した処理を示す（Ｓ番号）は、他の図の同じ（Ｓ番号）につながっている。また、以下の説明で「→」は、処理の方向を示しており、実線の矢印は検索を、点線の矢印はデータコピーを示している。
【００５５】
通話状態テーブルは、図７に示すように、通話者１のハードウェア（Ｈ／Ｗ）のＴＳＷ（タイムスイッチ）のリニアアドレスと通話者２のハードウェア（Ｈ／Ｗ）のＴＳＷのリニアアドレスが格納されている。ここで、通話状態テーブルの内容は、引継ぎ情報である。
【００５６】
各回線メモリには、図８に示すように、初期化処理で、工注設定データ等には事前に格納されているものとする。
回線メモリには、ＢＳ回線メモリ、ＴＥＬ回線メモリ、外線回線メモリ、ＩＩＦ回線メモリ、ＯＤ回線メモリ、ＴＴＣ回線メモリ、ＲＩＰ回線メモリ、ページング回線メモリ、ＰＳ回線メモリがあり、通話種類に応じたトランクの情報が記憶されている。
【００５７】
予備系ＭＣＰの通信制御装置は、第１の処理として、現用系ＭＣＰから受信した通話状態テーブルから通話中の回線を選択し、リニアアドレスからＢＳ回線アドレスを算出し、ＢＳ回線アドレスからＢＳ回線メモリを検索する（Ｓ１：図７  →  図８）。
ＢＳ回線メモリには、図８に示すように、スロットアドレス番号／ＣＣＰ番号、ｃｆｔメモリポインタ、ｃｆｔチャネルＮｏ、接続トランクポインタ、ＰＳ番号／スロットアドレスＮｏ、呼番号、等の情報が記憶される。
【００５８】
第２の処理として、現用系ＭＣＰの通信制御装置から受信した通話情報（呼出エリア管理テーブルの一部の情報）を基にＰＳ状態テーブルを生成し、そのＰＳ状態テーブルからＢＳ回線アドレスが同じものを検索する（Ｓ２：図７  →  図９）。
第３の処理として、ＢＳ回線アドレスが同じＢＳ回線メモリに、ＰＳ状態テーブルの情報（ＰＳ番号・呼番号）をコピーする（Ｓ３，Ｓ４：図９  →  図８）。
【００５９】
第４の処理として、ＰＳ番号から検索したＰＳ回線メモリにも、ＰＳ状態テーブルの情報（ＰＳ番号・呼番号）をコピーする（Ｓ５，Ｓ６：図９  →  図１０）。
ＰＳ回線メモリには、図１０に示すように、ＰＳ番号、呼番号、ＰＳ番号／スロットアドレスＮｏ等が記憶される。
【００６０】
次に、第５の処理として、接続回線アドレスにあったトランク（例えば、ＰＳ状態テーブルのちぇネル番号から内線トランク）を新たに取得し、当該トランクに通話状態情報をセットする。具体的には、ＰＳ状態テーブルのＰＳ番号からトランク情報の発信者回線Ｎｏを検索し、該当するトランクのトランクメモリ次ポインタの情報（アドレス）を取得し、当該トランクに通話状態に関する情報を設定する（Ｓ７，Ｓ８：図９  →  図１１）。
【００６１】
また、ＢＳ回線メモリの接続トランクポインタにトランクのアドレスをセットする（Ｓ９：図１１  →  図８）。
トランク情報には、トランクメモリ次ポインタ、トランクメモリ前ポインタ、現在の状態番号、発信者回線Ｎｏ、使用状態フラグ、通話者人数、通話者回線Ｎｏ、参加型グループテーブルＮｏ等が記憶される。
【００６２】
第６の処理として、通話者２についても、上記同様にデータを再構築する。この時、トランクは、通知相手が使用しているものに通話状態を構築する。
第７の処理として、予備系ＭＣＰでは、これらの情報を元にハード的な音声ライン（タイムスイッチ）を接続する。
【００６３】
以上より、本電話システムでは、予備系ＭＣＰが、現用系ＭＣＰから受信した通話状態テーブル及びＰＳ状態テーブルに基づいて、個別通話の通話状態を確実に再構築でき、現用系ＭＣＰから予備系ＭＣＰへの切り替えを確実に実行できる。
しかも、現用系ＭＣＰの障害発生により現用系ＭＣＰが引継ぎ情報を送信できない状態に陥っても、予備系ＭＣＰは定期的に受信している引継ぎ情報を用いて直前の通話状態を速やかに再構築して通話を継続させることができる。
【００６４】
更に、本電話システムでは、予備系ＭＣＰが通話状態テーブル及びＰＳ状態テーブルに基づいて通話状態を再構築するので、図７〜図１１に示すように、現用系ＭＣＰが保持するすべての情報のうち、通話状態の構築（通話継続）に必要な最小限の情報だけを用いて通話状態を再構築することができる。
その結果、系切り替え時に通話者が違和感なく、速やかに通話を引き継いで通話を継続することができる。
【００６５】
［開催型グループ通話の場合の通話状態再構築：図１２〜１６］
開催型グループ通話の場合における通話状態再構築の手順について図１２〜図１６を参照しながら説明する。図１２は、ＣＦＴ接続状態テーブル、グループ通話中テーブル、多者通話モード設定テーブルの概略図であり、図１３は、回線メモリの概略図であり、図１４は、接続トランクの概略図であり、図１５は、ＣＦＴメモリ、ＣＦＴ管理テーブルの概略図であり、図１６は、ＰＳ回線メモリの概略図である。
尚、図中に示した処理を示す（Ｓ番号）は、他の図の同じ（Ｓ番号）につながっている。また、以下の説明で「→」は、処理の方向を示しており、実線の矢印は検索を、点線の矢印はデータコピーを示している。
【００６６】
まず、各回線メモリには、初期化処理で、工注設定データ等には事前に格納されているものとする。ここで、ＣＦＴ接続状態テーブルの内容は、引継ぎ情報である。
予備系ＭＣＰの通信制御装置は、第１の処理として、現用系ＭＣＰから受信したＣＦＴ接続状態テーブルから回線Ｎｏ．を元にＢＳ回線メモリを検索して（Ｓ１１：図１２  →  図１３）、会議トランク接続ｃｈＮｏ．をコピーし（Ｓ１２：図１２  →  図１３）、接続トランクも検索し、通話状態情報をセットする（Ｓ１３：図１２  →  図１４）。更に、接続トランクポインタをＢＳ回線メモリにセットする（Ｓ１４：図１４  →  図１３）。
ここで、接続トランクは、回線Ｎｏ．と工注情報より、通信種類を判定し、通話にあったトランクを新たに使用する。
【００６７】
第２の処理として、ＣＦＴメモリを先頭から使用し（Ｓ１５：図１２  →  図１５）、ＣＦＴ接続状態テーブルの会議トランクＮｏ．及び会議Ｎｏ．をコピーする（Ｓ１６、Ｓ１７：図１２  →  図１５）。更に、使用するＣＦＴメモリのポインタをＢＳ回線メモリのｃｆｔメモリポインタにセットする（Ｓ１８：図１５  →  図１３）。
ＣＦＴメモリには、図１５に示すように、会議トランクの状況に関する情報が記憶され、トランク次ポインタ、トランク前ポインタ、ｃｆｔグループＮｏ、トランクＮｏ、予約数、トランクの予約チャネルが設定される。
【００６８】
予備系ＭＣＰの通信制御装置は、第３の処理として、ＣＦＴメモリにコピーした会議トランクＮｏ．（ＣＦＴ管理テーブルのオフセット）の指すＣＦＴ管理テーブルを検索し（Ｓ１９：図１５）、  ＣＦＴ管理テーブルのグループＮｏ．エリアにｃｆｔグループＮｏ．（グループＮｏ．エリアのオフセット）が指す場所に使用中（＝１）をセットする（Ｓ２０：図１５）。
ＣＦＴ管理テーブルには、図１５に示すように、会議トランクを管理するための情報が記憶され、空きチャネル数、会議トランクの使用又は未使用の状況、ｃｆｔグループＮｏの使用状況等が記憶される。
また、ＣＦＴ接続状態テーブルの会議トランク接続ｃｈ（使用中チャネルエリアのオフセット）が指す場所に使用中（＝１）をセットする（Ｓ２１：図１２  →  図１５）。
【００６９】
予備系ＭＣＰの通信制御装置は、第４の処理として、ＣＦＴ接続状態テーブルの多者通話モード設定オフセット値及び回線Ｎｏ．をグループ通話中テーブルにコピーする（Ｓ２２：図１２）。
更に、多者通話モード設定オフセット値をＴＥＬ回線メモリ或いはＰＳ回線メモリのグループＮｏ．に最参入用としてコピーする（Ｓ２３：図１２  →  図１３，Ｓ２４：図１２  →  図１６）。
更に、ＣＦＴ接続状態テーブルの多者通話モード設定オフセット値から多者通話モード設定テーブルを検索し（Ｓ２５：図１２）、グループ通話中テーブルにグループＮｏ．をコピーする（Ｓ２６：図１２）。
グループ通話中テーブルは、図１２に示すように、再参入用のテーブルであり、グループＮｏ、グループ員数、通話中回線アドレス、開催者、空き状況が記憶される。
【００７０】
そして、予備系ＭＣＰの通信制御装置は、第５の処理として、ＰＳ状態テーブルの情報を、上述した個別通話と同様に、ＰＳ回線メモリにコピーする。
これらの情報を元に、予備系ＭＣＰの通信制御装置は、第６の処理として、ハード的な会議トランク及び音声ライン（タイムスイッチ）を接続する。
【００７１】
以上より、本電話システムでは、予備系ＭＣＰが、現用系ＭＣＰから受信した通話状態テーブル、ＰＳ状態テーブル、及び、ＣＦＴ接続状態テーブルに基づいて、グループ通話の通話状態を確実に再構築でき、現用系ＭＣＰから予備系ＭＣＰへの切り替えを確実に実行できる。
しかも、現用系ＭＣＰの障害発生により現用系ＭＣＰが引継ぎ情報を送信できない状態に陥っても、予備系ＭＣＰは定期的に受信している引継ぎ情報を用いて直前の通話状態を速やかに再構築してグループ通話を継続させることができる。
【００７２】
更に、本電話システムでは、予備系ＭＣＰが通話状態テーブル、ＰＳ状態テーブル、及び、ＣＦＴ接続状態テーブルに基づいて通話状態を再構築するので、図１２〜図１６に示すように、現用系ＭＣＰが保持するすべての情報のうち、グループ通話状態の構築（通話継続）に必要な最小限の情報だけを用いて通話状態を再構築することができる。
その結果、系切り替え時に通話者が違和感なく、速やかに通話を引き継いでグループ通話を継続することができる。
【００７３】
［実施の形態の効果］
本システムによれば、現用系ＭＣＰから予備系ＭＣＰに通話状態を引継ぐために、現用系ＭＣＰ２０の通信制御装置２１で通話状態テーブル、ＰＳ状態テーブル、ＣＦＴ接続状態テーブルを生成し、これらテーブルの情報を現用系ＭＣＰ２０から予備系ＭＣＰ３０に送信しておき、予備系ＭＣＰ３０の通信制御装置３１は、これらテーブルの情報を基に、予備系ＭＣＰ３０に切り替わった際に、個別通話状態、会議通話状態を再構築するもので、通話状態を継続できる効果がある。
【産業上の利用可能性】
【００７４】
本発明は、現用系で障害が発生して予備系に切り替わった場合に、現用系の通話状態を予備系に引き継いで通話継続を可能とする電話システムに好適である。
【符号の説明】
【００７５】
１…通信制御装置、  ２…基地局（ＢＳ）、  ３…携帯端末（ＰＳ又はＰＨＳ）、  ４…有線ページング装置、  ５…内線電話、  ６…ショートメッセージサーバ、  ７…他の電話システムの通信制御装置、  ８…ＰＢＸ（私設構内交換機）、  ９ａ…他の電話システムの通信制御装置、  ９ｂ…他の電話システムの通信制御装置、  １０…、  １１…管理コンソール、  １２…設備アラーム検出装置、  １３…ＰＨＳ位置モニタ装置、  ２０…現用系制御装置（ＭＣＰ（０系））、  ２１…通信制御装置（ＣＣＰ  ＣＰＵ）、  ２２…主制御装置（ＭＣＰ  ＣＰＵ）、  ２３…タイムスイッチ（ＴＳＷ）、  ２４…音声合成処理部（ＣＦＴ／ＰＢ／ＴＧＲ）、  ２５…クロック部（ＣＬＫ）、  ３０…予備系制御装置（ＭＣＰ（１系））、  ３１…通信制御装置（ＣＣＰ  ＣＰＵ）、  ３２…主制御装置（ＭＣＰ  ＣＰＵ）、  ３３…タイムスイッチ（ＴＳＷ）、  ３４…音声合成処理部（ＣＦＴ／ＰＢ／ＴＧＲ）、  ３５…クロック部（ＣＬＫ）、  ４１…基地局インタフェース部（ＢＳＩＦ）、  ４２…ページング制御装置（ＰＣＵ）、  ４３…中央翻訳装置（ＣＯＴ）、  ４４…デジタルインタフェース部（ＤＩＦ）、  ４５…Ｉインタフェース部（ＩＩＦ）、  ４６…２Ｍｂｐｓ専用インタフェース部（２ＭＴＴＣ）、  ４７…、ローミングインタフェース部（ＲＩＰ）
【図１】
2011041117.tif 000003
【図２】
2011041117.tif 000004
【図３】
2011041117.tif 000005
【図４】
2011041117.tif 000006
【図５】
2011041117.tif 000007
【図６】
2011041117.tif 000008
【図７】
2011041117.tif 000009
【図８】
2011041117.tif 000010
【図９】
2011041117.tif 000011
【図１０】
2011041117.tif 000012
【図１１】
2011041117.tif 000013
【図１２】
2011041117.tif 000014
【図１３】
2011041117.tif 000015
【図１４】
2011041117.tif 000016
【図１５】
2011041117.tif 000017
【図１６】
2011041117.tif 000018